(57)【要約】【課題】  破損時の代替品等として適用可能なメガネフレームを提供する。【解決手段】  一対のリム４、４と、両リム４、４の内縁部間に一体に設けられるブリッジ６と、各リム４の外縁部にそれぞれ一体に設けられるテンプル７とからなるメガネフレーム本体２と、メガネフレーム本体２の各テンプル４内に埋設される芯材８とを備えたメガネフレーム１であって、メガネフレーム本体２は、弾性変形可能な素材から形成され、芯材８は、可撓性を有する素材から形成されている。【選択図】        図１
2008070594.tif 000002
【特許請求の範囲】
【請求項１】
一対のリムと、両リムの内縁部間に一体に設けられるブリッジと、各リムの外縁部にそれぞれ一体に設けられるテンプルとからなるメガネフレーム本体と、該メガネフレーム本体の各テンプル内に埋設される芯材とを備えたメガネフレームであって、
前記メガネフレーム本体は、弾性変形可能な素材から形成され、前記芯材は、可撓性を有する素材から形成されていることを特徴とするメガネフレーム。
【請求項２】
前記各リムの内周面にはレンズ保持用溝が全周に亘って設けられ、該レンズ保持用溝内にレンズの周縁部を挿入させることにより、該レンズが各リムの内周側に保持されることを特徴とする請求項１に記載のメガネフレーム。
【請求項３】
前記ブリッジには、前記ブリッジを所定の長さに固定するための固定部品が着脱自在に取り付けられていることを特徴とする請求項１又は２に記載のメガネフレーム。
【請求項４】
前記固定部品には、一対のノーズパッドが取り付けられるとともに、該一対のノーズパッドの前記固定部品に対する相対的な取付け位置が調整可能に構成されていることを特徴とする請求項３に記載のメガネフレーム。
【請求項５】
前記各テンプルは、前記各テンプル内に埋設されている前記芯材を所定の形状に折り曲げることにより、前記芯材と一体に弾性変形して芯材の折り曲げ形状に対応した形状に保持されることを特徴とする請求項１から４の何れかに記載のメガネフレーム。
【発明の詳細な説明】
【技術分野】
【０００１】
本発明は、メガネフレームに関し、特に、通常使用しているメガネの修理時等の代替品、眼病治療中の補助メガネ、使用時に破損等の危険性が高いスポーツ用、乳幼児用等のメガネ等に好適なメガネフレームに関する。
【背景技術】
【０００２】
視力矯正用、紫外線除去用等のメガネに使用されるメガネフレームは種々のタイプのものがあり、例えば、一対の環状のリムと、両リム間に一体に架設される棒状のブリッジと、各リムに蝶番を介して一体に設けられるテンプルとを備えたメガネフレーム本体と、メガネフレーム本体のブリッジに取り付けられる一対のノーズパッドとを備えたフルリムタイプのメガネフレームが知られている。
【０００３】
このような構成のメガネフレームにあっては、各リムの内周側に視力矯正用、紫外線除去用等のレンズをそれぞれ装着することにより、メガネとしての機能を発揮することができ、両レンズを通して視力を矯正したり、紫外線を除去したりすることができるものである（例えば、特許文献１参照。）。
【特許文献１】実用新案登録第３１００８２７号
【発明の開示】
【発明が解決しようとする課題】
【０００４】
ところで、上記のような構成のメガネフレームにあっては、メガネフレーム本体のリム、ブリッジ、及びテンプルは、各種の合成樹脂材、金属材等から形成される剛性を有するものであるため、何らかの原因によって破損したり、変形等した場合に、修理が完了するまでの間、メガネとして使用することができないため、使用者は不自由な思いをすることになる。
【０００５】
また、病院において眼病の治療の補助メガネが必要になるような場合に、補助メガネの製作に時間がかかるため、眼病の治療に早急に対応することができない。
【０００６】
さらに、使用時に破損等の危険性が高いスポーツ用、乳幼児用等として、安心して使用できるメガネフレームは未だ提案されていない。
【０００７】
本発明は、上記のような従来の問題に鑑みなされたものであって、何らかの原因によってメガネフレームが破損等した場合に、修理が完了するまでの間、代替品として使用することができるとともに、病院において、眼病の治療用として補助メガネが必要になるような場合に、早急に必要とする補助メガネを提供することができ、さらに、使用時に破損等の危険性の高いスポーツ用、乳幼児用等としても安心して使用することができる、メガネフレームを提供することを目的とする。
【課題を解決するための手段】
【０００８】
上記のような課題を解決するために、本発明は、以下のような手段を採用している。
すなわち、請求項１に係る発明は、一対のリムと、両リムの内縁部間に一体に設けられるブリッジと、各リムの外縁部にそれぞれ一体に設けられるテンプルとからなるメガネフレーム本体と、該メガネフレーム本体の各テンプル内に埋設される芯材とを備えたメガネフレームであって、前記メガネフレーム本体は、弾性変形可能な素材から形成され、前記芯材は、可撓性を有する素材から形成されていることを特徴とする。
【０００９】
本発明によるメガネフレームによれば、各リムを拡径する方向に弾性変形させた状態で、各リムの内側にレンズを装着することにより、レンズが各リムの弾性力によって各リムの内側に保持されることになる。また、各芯材を所定の形状に折り曲げることにより、各芯材に追従して各テンプルが弾性変形し、各テンプルが芯材の折り曲げ形状に対応した形状に保持されることになる。
【００１０】
請求項２に係る発明は、請求項１に記載のメガネフレームであって、前記各リムの内周面にはレンズ保持用溝が全周に亘って設けられ、該レンズ保持用溝内にレンズの周縁部を挿入させることにより、該レンズが各リムの内周側に保持されることを特徴とする。
【００１１】
本発明によるメガネフレームによれば、各リムを拡径する方向に弾性変形させて、各リムの内周面のレンズ保持用溝内にレンズの周縁部を挿入させることにより、レンズが各リムの弾性力によって各リムの内周側に保持されることになる。
【００１２】
請求項３に係る発明は、請求項１又は２に記載のメガネフレームであって、前記ブリッジには、前記ブリッジを所定の長さに固定するための固定部品が着脱自在に取り付けられていることを特徴とする。
【００１３】
本発明によるメガネフレームによれば、ブリッジを弾性変形させて所定の長さに設定し、この状態でブリッジに固定部品を取り付けることにより、ブリッジが所定の長さに保持され、ブリッジの両端の両リム間が所定の間隔に固定されることになる。
【００１４】
請求項４に係る発明は、請求項３に記載のメガネフレームであって、前記固定部品には、一対のノーズパッドが取り付けられるとともに、該一対のノーズパッドの前記固定部品に対する相対的な取付け位置が調整可能に構成されていることを特徴とする。
【００１５】
本発明によるメガネフレームによれば、固定部に取り付けられる一対のノーズパッドの固定部品に対する相対的な取付け位置を調整することにより、一対のノーズパッドのメガネフレーム本体に対する相対的な位置を調整することができる。
【００１６】
請求項５に係る発明は、請求項１から４の何れかに記載のメガネフレームであって、前記各テンプルは、前記各テンプル内に埋設されている前記芯材を所定の形状に折り曲げることにより、前記芯材と一体に弾性変形して芯材の折り曲げ形状に対応した形状に保持されることを特徴とする。
【００１７】
本発明によるメガネフレームによれば、各テンプルに埋設されている各芯材を所定の形状に折り曲げることにより、各芯材に追従して各テンプルが弾性変形し、各芯材の折り曲げ形状に対応した形状に保持されることになる。
【発明の効果】
【００１８】
以上、説明したように、本発明のメガネフレームによれば、通常使用しているメガネのメガネフレームが破損等した場合に、そのメガネフレームからレンズを取り外し、その取り外したレンズを各リムの内側に装着することにより、各リムの弾性力によって各リムの内側にレンズを保持できる。また、各芯材を所定の形状に折り曲げることにより、各芯材に追従して各テンプルが弾性変形し、各テンプルが芯材の折り曲げ形状に対応した形状に保持される。従って、破損等したメガネフレームの代替品として使用できるので、使用者に不自由さを感じさせるようなことはない。
また、メガネフレーム本体のリム、ブリッジ、及びテンプルは、弾性変形可能な素材から形成されているので、使用時に破損等する危険性の高いスポーツ用、乳幼児用等として用いても、使用時に破損等するようなことはなく、そのような用途であっても安全性を確保することができる。
さらに、眼病の治療にメガネが必要な場合に、必要とする機能を備えたメガネを早急に製作して提供することができる。
【発明を実施するための最良の形態】
【００１９】
以下、図面を参照しながら、本発明の実施の形態について説明する。
図１〜図７には、本発明によるメガネフレームの一実施の形態が示されていて、図１は全体を示す正面図、図２はリムとレンズとの関係を示す説明図、図３及び図４はブリッジと固定部品との関係を示す説明図、図５はテンプルの正面図、図６は図５の平面図、図７はテンプルの折り曲げた状態を示す説明図である。
【００２０】
すなわち、本実施の形態に示すメガネフレーム１は、図１〜図４に示すように、所定の間隔をおいて設けられる一対の環状のリム４、４と、両リム４、４の内縁部間に一体に架設される棒状のブリッジ６と、各リム４の外縁部にそれぞれ一体に設けられる棒状のテンプル７とを備えたメガネフレーム本体２と、各テンプル７内に埋設される棒状の芯材８と、ブリッジ６に取り付けられる固定部品９と、固定部品９に取り付けられる一対のノーズパッド１４、１４とを備えている。
【００２１】
メガネフレーム本体２の両リム４、４、ブリッジ６、及びテンプル７は、弾性（伸縮性）を有する素材から形成されており、このメガネフレーム本体２の弾性力により、ネジによる締付け作業等を必要とすることなく、各リム４の内周側にレンズ１５を保持できる。また、各リム４と各テンプル７との間に蝶番を介在させることなく、各テンプル７を両リム４、４の裏面側に折り畳むことが可能となる。
【００２２】
メガネフレーム本体２の素材としては、例えば、弾性を有する各種のゴム材、弾性を有するシリコン樹脂等の各種の合成樹脂材等が挙げられる。但し、これらに限定することなく、弾性（伸縮性）を有し、弾性力によって各リム４の内周側にレンズ１５を保持でき、かつ各テンプル７を両リム４、４の裏面側に折り畳むことが可能なものであればよい。
【００２３】
図２に示すように、各リム４の内周面には全周に亘って所定の深さ、幅の断面コ形状のレンズ保持用溝５が設けられ、各リム４を拡径させた状態で、各リム４のレンズ保持用溝５内にレンズ１５の周縁部を挿入させることにより、各リム４の弾性力によって各リム４の内周側にレンズ１５が保持される。レンズ保持用溝５は、断面コ形状に限らず、Ｖ形状等の各種の形状に形成することができる。要するに、レンズ１５の周縁部を保持できる形状であればよい。
【００２４】
図３に示すように、両リム４、４間に架設されているブリッジ６には、固定部品９が着脱自在に取り付けられ、この固定部品９によってブリッジ６が所定の長さに固定され、ブリッジ６の両端に位置する両リム４、４間が所定の間隔に固定される。
【００２５】
固定部品９は、金属材からなる略筒状の本体部１０を有し、この本体部１０をブリッジ６に被嵌させて、本体部１０の両端を各リム４の内縁部に当接させることにより、ブリッジ６が固定部品９の長さに応じた長さに固定される。固定部品９として各種の長さのものを予め用意しておくことにより、ブリッジ６を所望の長さに調整することができる。
【００２６】
固定部品９の本体部１０には、本体部１０を軸線方向に切断する切込み（図示せず）が１箇所に設けられ、この切込みを境にして本体部１０を拡径する方向に押し広げ、この状態で本体部１０をブリッジ６に取り付け、この状態から本体部１０を縮径する方向に押し潰すことにより、本体部１０がブリッジ６にカシメ付けられ、固定部品９がブリッジ６に取り付けられる。なお、本体部１０の切込みに臨む端部間をネジにより締結することにより、本体部１０をブリッジ６に取り付けるように構成してもよい。
【００２７】
本体部１０の両端には、各リム４の内縁部を係合させる係合部１２が設けられ、この係合部１２に各リム４の内縁部を係合させることにより、本体部１０がブリッジ６上の所定の位置に位置決めされ、ブリッジ６上において本体部１０が回動するのが阻止され、本体部１０によりブリッジ６を所定の長さに保持し続けることができる。
【００２８】
固定部品９の本体部１０の下面側には、金属製の一対の脚部１３、１３が溶接等の接合手段によって一体に接合されるとともに、各脚部１３の先端部には、シリコン樹脂等の合成樹脂材から形成される略楕円形板状のノーズパッド１４がそれぞれ取り付けられている。
【００２９】
各ノーズパッド１４は、各脚部１３に対する取付け位置の調整が可能に構成され、各ノーズパッド１４の各脚部１３に対する取付け位置を調整することにより、各ノーズパッド１４のメガネフレーム本体２に対する相対的な位置を調整することができ、鼻の高さ、形状の異なる様々な人々に対応することができる。
【００３０】
各リム４の内周側にそれぞれレンズ１５を取り付け、ブリッジ６に固定部品９を取り付けることにより、メガネフレーム本体２のフロント部３を構成する両リム４、４及びブリッジ６が略一直線上に固定され、メガネフレーム１を顔に装着した場合に、フロント部３を顔の前面側に安定した状態で位置させることができる。また、各リム４は、レンズ１５を内周側に装着することにより、レンズ１５の湾曲形状に応じた形状に湾曲変形することになるので、湾曲度の異なる様々なレンズ１５を使用しても、それらのレンズ１５を安定した状態で各リム４に保持することができる。
【００３１】
そして、上記のような構成のメガネフレーム１を、通常使用しているメガネの破損等による代替品、病院における眼病治療のための補助メガネ、使用時に破損等の危険性の高いスポーツ用、乳幼児用等のメガネとして使用するには、メガネフレーム本体２の各リム４を適宜の手段によって拡径する方向に弾性変形させて、各リム４の内周側にレンズ１５を位置させ、レンズ１５の周縁部を各リム４の内周側のレンズ保持用溝５内に挿入し、各リム４の弾性力によってレンズ１５を各リム４の内周側に保持する。この場合、各リム４を弾性変形させることにより、各リム４の内側にレンズ１５を取り付けているので、様々な大きさ、形状のレンズ１５を保持することができる。
【００３２】
そして、両リム４、４間のブリッジ６を弾性変形させて所定の長さに設定し、そのブリッジ６の長さに応じた長さの固定部品９を用意し、固定部品９の本体部１０をブリッジ６に被嵌させ、本体部１０の両端の係合部１２に各リム４の内縁部を係合させ、ブリッジ６を固定部品９を介して所定の長さに固定し、ブリッジ６の両端に位置する両リム４、４間を固定部品９の長さに応じた間隔に固定する。
【００３３】
そして、固定部品９に取り付けられている一対のノーズパッド１４、１４の取付け位置を調整し、一対のノーズパッド１４、１４のメガネフレーム本体２に対する相対的な位置を調整する。
【００３４】
そして、各テンプル７を所定の長さに切断するとともに、各テンプル７内に埋設されている各芯材８を所定の形状に折り曲げることにより、各芯材８に追従させて各テンプル７を弾性変形させ、芯材８の折り曲げ形状に対応した形状に保持する。
【００３５】
このようにして、メガネフレーム本体２の各リム４にレンズ１５を取り付け、ブリッジ６を固定部品９によって所定の長さに固定し、一対のノーズパッド１４、１４の固定部品９に対する取付け位置を調整し、各テンプル７を各芯材８の折り曲げ形状に対応した形状に弾性変形させてその形状に保持することにより、通常使用しているメガネの破損等による代替品、病院における眼病治療のための補助メガネ、使用時に破損等の危険性の高いスポーツ用、乳幼児用等のメガネとして機能させることができる。
【００３６】
上記のように構成した本実施の形態によるメガネフレーム１にあっては、メガネフレーム本体２の各リム４の内周側にレンズ１５を装着し、ブリッジ６の長さを固定部品９によって所定の長さに固定し、ノーズパッド１４の固定部品９に対する取付け位置を調整し、各テンプル７を芯材８を折り曲げることによってその折り曲げ形状に弾性変形させるだけで、所望のメガネとして機能させることができるので、通常使用しているメガネの破損時の代替品、病院における眼病の治療に必要な補助メガネとして有効に利用することができる。
【００３７】
また、メガネフレーム本体２は、弾性を有する素材から形成されているので、使用時に破損等の危険性の高いスポーツ用、乳幼児用等として使用しても、使用時に破損等する危険性は全くなく、そのような用途であっても使用時における安全性を確保することができる。
【００３８】
なお、前記の説明においては、本実施の形態によるメガネフレーム１をフルリムタイプのメガネフレームの代替品等として適用した場合について説明したが、ハーフリムタイプ、ツーポイントタイプ、ナイロールタイプ等の周知の各種のメガネの代替品、補助メガネ、スポーツ用等のメガネとしても使用してもよいものである。
【００３９】
また、メガネフレーム本体２の各リム４、ブリッジ６、及びテンプル７に適宜の手段によって着色を施してもよいものであり、その場合には、メガネフレーム１に意匠性を付与することができる。
【図面の簡単な説明】
【００４０】
【図１】本発明によるメガネフレームの一実施の形態の全体を示す正面図である。
【図２】リムとレンズとの関係を示す説明図である。
【図３】ブリッジと固定部品との関係を示す説明図である。
【図４】ブリッジと固定部品との関係を示す説明図である。
【図５】テンプルの正面図である。
【図６】図５の平面図である。
【図７】テンプルの折り曲げた状態を示す説明図である。
【符号の説明】
【００４１】
１  メガネフレーム
２  メガネフレーム本体
３  フロント部
４  リム
５  レンズ保持用溝
６  ブリッジ
７  テンプル
８  芯材
９  固定部品
１０  本体部
１２  係合部
１３  脚部
１４  ノーズパッド
１５  レンズ
【図１】
2008070594.tif 000003
【図２】
2008070594.tif 000004
【図３】
2008070594.tif 000005
【図４】
2008070594.tif 000006
【図５】
2008070594.tif 000007
【図６】
2008070594.tif 000008
【図７】
2008070594.tif 000009